(57)【要約】【課題】  小型のメモリカードが不意に抜けたり、所定のメモリカード用のソケットに接続された状態から小型のメモリカードのみがアダプタ本体から抜き取られたりすることを防止する。【解決手段】  小型のメモリカードの複数の電気端子と電気的に接続される複数の接続端子４と、所定のメモリカードの外形に対応する形状に形成されたベース２とシェル３とを備え、ベース２に、複数の接続端子４を並設して所定のメモリカードの端子部を形成するコネクタ部２ｇと、小型のメモリカードを挿抜するためのカード挿入口１０ｂを形成する断面凹状のカード装着部１０ａを構成し、シェル３を、凹所を覆う弾性変形可能なカバー部３１と、このカバー部３１の一端にカード挿入口１０ｂを閉塞する閉塞部３２とを一体に有する形状に形成し、カバー部３１の他端側をベース２に固定した。【選択図】図１
2005050280.tif 000002
【特許請求の範囲】
【請求項１】
一端側に並設された複数の電気端子を含む自己よりも小型のメモリカードを着脱自在に内部に収納して、所定のメモリカードとして使用されるメモリカード用アダプタであって、
前記小型のメモリカードの前記複数の電気端子とそれぞれ電気的に接続される複数の接続端子と、
前記所定のメモリカードの一の面側の外形に対応する形状に形成されたベースと、
前記所定のメモリカードの他の面側の外形に対応する形状に形成されたシェルとを備え、
前記ベースの一端側の一端部に、前記複数の接続端子を並設して前記所定のメモリカードの端子部となるコネクタ部を構成し、
前記ベースの他端側の残部に、その他端が前記小型のメモリカードを挿抜するためのカード挿入口を形成する断面凹状のカード装着部を構成し、
前記シェルを、少なくとも前記ベースの残部側の凹所を覆う弾性変形可能なカバー部と、
このカバー部の一端に立設されて前記カード挿入口を閉塞する閉塞部とを一体に有する形状に形成し、
前記シェルのカバー部の他端側を前記ベースに固定してなることを特徴とするメモリカード用アダプタ。
【請求項２】
前記カバー部の他端部の一部両側に、前記ベースに向かって立設し、中心に空洞部を持つ軸受け部を一対形成し、
前記断面凹状のカード装着部の両壁に、前記軸受け部の空洞部に挿通する突起状の軸部を一対形成し、
前記カード挿入口の一部を閉塞するリブを前記ベースの他端から立設してなることを特徴とする請求項１記載のメモリカード用アダプタ。
【請求項３】
前記シェルの閉塞部と前記カバー部の一端側の一端部に絶縁処理を施すことを特徴とする請求項１又は２記載のメモリカード用アダプタ。
【請求項４】
前記シェルのカバー部に挿入確認穴を設けることを特徴とする請求項１又は２又は３記載のメモリカード用アダプタ。
【請求項５】
前記シェルのカバー部の他端部における両側に、それぞれ前記ベースに向かって立設する断面Ｌ状の接続部を形成し、
前記各接続部における前記ベースと当接する個所に穴を形成し、
前記ベースにおける前記各接続部と当接する個所に突起を形成し、
前記接続部の穴と前記ベースの突起を係合して、前記シェルと前記ベースを固定することを特徴とする請求項１又は３又は４記載のメモリカード用アダプタ。
【発明の詳細な説明】
【技術分野】
【０００１】
本発明は、自己よりも小型のメモリカードを着脱自在に内部に収納して、所定のメモリカードとして使用されるメモリカード用アダプタに関するものである。
【背景技術】
【０００２】
従来、図１７に示すようなＳＤメモリカードやマルチメディアカード（ＭＭＣ）のようなメモリカードＭＣが提供されている。
【０００３】
このメモリカードＭＣは外周形状が矩形状になっており、メモリカードＭＣの後部（挿入側）の裏面側には複数個のＩ／Ｏ接触面（図示せず）が並設されている。またメモリカードＭＣ後部の一方の角を落として切欠部６１を形成するとともに、裏面部の両側部には、表面側の幅よりも裏面側の幅を狭くした段部６２、６２を形成してあり、切欠部６１と段部６２とでメモリカードＭＣを挿抜自在に接続するソケットへの逆差しを防止している。
【０００４】
また、メモリカードＭＣにおいて切欠部６１を形成した一方の側縁には矩形状に陥没したロック用切欠６３が設けられており、メモリカードＭＣをソケットに接続した際にソケットのロック片がロック用切欠６３と係止することによって、メモリカードＭＣの脱落を防止するようになっている。またメモリカードＭＣにおいて切欠部６１を形成した側と反対側の側面には、ライトプロテクトのスイッチＳＷの摘み６４が露出する凹部６５を設けており、スイッチＳＷの摘み６４の凹部６５内の移動位置によって、ライトプロテクト状態にあるか否かを示すようになっている。
【０００５】
ところで、近年メモリカードＭＣを使用するＰＤＡなどの機器の小型化に伴ってＳＤメモリカードの小型化が望まれており、図１８及び図１９に示すような構造を有しＳＤメモリカードの外形を一回り小さくしたミニＳＤカードＭＳＤなどの小型のメモリカードが提案されている。
【０００６】
ミニＳＤカードＭＳＤは扁平な略矩形板状であって、ＳＤメモリカードに比べて外形が一回り小さくなっており、後部（挿入側）の一方の角には切欠部５１が形成されている。また、ミニＳＤカードＭＳＤの後部下面には凹所５２が形成され、この凹所５２には複数（ミニＳＤカードＭＳＤの場合は１１個）のＩ／Ｏ接触面５３が並行に配設されている。また、ミニＳＤカードＭＳＤの挿入側の左右両側縁には上向き段部５４、５４を形成してあり、上記切欠部５１よりも前側（挿入側と反対側）の位置には上面の左右両側縁にロック用凹所５５、５５を形成している。
【０００７】
このようなミニＳＤカードＭＳＤは従来のメモリカードＭＣに比べて外形が一回り小さいので、従来のメモリカードＭＣ用のソケットにミニＳＤカードＭＳＤを接続するためには、ミニＳＤカードＭＳＤを保持してメモリカードＭＣ用のソケットに接続され、ミニＳＤカードＭＳＤとソケットとの間を電気的に接続するメモリカード用アダプタが必要となる。
【０００８】
従来、この種のメモリカード用アダプタは、種々提案されまた市販されている。例えば、特許文献１には、多数の信号回路導体を含む回路基板、２つの側棒とこれらの側棒の中央よりやや後ろを連結する連結棒と各側棒のメモリカード挿入口側の内側にガイドレールを含むフレーム、一対の凹状の形状であり内側に形成された凸部を含むカバーから構成され、回路基板とフレームを一対のカバーで覆う構造のメモリカード用アダプタが記載されている。
【０００９】
このメモリカード用アダプタは、形状が凹状であり、凹状のくぼんだ部分に小型のメモリカードを挿入し、フレームに形成されたガイドレールと、カバーに形成された凸部によって、小型のメモリカードとアダプタを固定する構造である。このメモリカード用アダプタは、所定のメモリカード用のソケットに挿入して用いることができる。
【特許文献１】特開平１１−３４０５号公報（第３頁−第５頁、及び、第２図）
【発明の開示】
【発明が解決しようとする課題】
【００１０】
しかしながら、上記従来のメモリカード用アダプタなどのように、挿入した小型のメモリカードが、カード挿入口から露出していると、メモリカード用アダプタを所定のメモリカード用のソケットから抜き取る際に、小型のメモリカードを持って抜き取ろうとし、メモリカード用アダプタは挿入されたまま小型のメモリカードのみが抜き取られてしまうことが発生する。小型のメモリカードのみが抜き取られてしまうと所定のメモリカード用のソケットと接続している機器が正常に動作しなくなったり、あるいは抜き取られた小型のメモリカードと異なる別の小型のメモリカードがメモリカード用アダプタに挿入され、データが不用意に書き換えられ、必要なデータが消失してしまうといった不具合が発生するという問題があった。
【００１１】
本発明は上述の点に鑑みて為されたものであり、その目的とするところは、小型のメモリカードが不意に抜けたり、所定のメモリカード用のソケットに接続された状態から小型のメモリカードのみがアダプタ本体から抜き取られたりすることを防止することができるメモリカード用アダプタを提供することにある。
【課題を解決するための手段】
【００１２】
請求項１に記載の発明は、一端側に並設された複数の電気端子を含む自己よりも小型のメモリカードを着脱自在に内部に収納して、所定のメモリカードとして使用されるメモリカード用アダプタであって、前記小型のメモリカードの前記複数の電気端子とそれぞれ電気的に接続される複数の接続端子と、前記所定のメモリカードの一の面側の外形に対応する形状に形成されたベースと、前記所定のメモリカードの他の面側の外形に対応する形状に形成されたシェルとを備え、前記ベースの一端側の一端部に、前記複数の接続端子を並設して前記所定のメモリカードの端子部となるコネクタ部を構成し、前記ベースの他端側の残部に、その他端が前記小型のメモリカードを挿抜するためのカード挿入口を形成する断面凹状のカード装着部を構成し、前記シェルを、少なくとも前記ベースの残部側の凹所を覆う弾性変形可能なカバー部と、このカバー部の一端に立設されて前記カード挿入口を閉塞する閉塞部とを一体に有する形状に形成し、前記シェルのカバー部の他端側を前記ベースに固定してなることを特徴とする。
【００１３】
この構造は、簡単な構造であり、シェルのカバー部の弾性変形により、カード挿入口から小型のメモリカードの抜き差しを容易に行うことができる。そして、小型のメモリカード挿入時にシェルの閉塞部によってカード挿入口を閉塞することで、小型のメモリカードが不意に抜けたり、所定のメモリカード用のソケットに接続された状態から小型のメモリカードのみがアダプタ本体から抜き取られたりすることを防止することができる。
【００１４】
請求項２に記載の発明は、請求項１に記載の発明において、前記カバー部の他端部の一部両側に、前記ベースに向かって立設し、中心に空洞部を持つ軸受け部を一対形成し、前記断面凹状のカード装着部の両壁に、前記軸受け部の空洞部に挿通する突起状の軸部を一対形成し、前記カード挿入口の一部を閉塞するリブを前記ベースの他端から立設してなることを特徴とする。この構造は、シェルがベースの軸部を支点として回動させることにより、小型のメモリカード挿入時にシェルの小さな弾性変形でカード挿入口から小型のメモリカードの抜き差しを容易に行うことができる。またベースにリブを付けるので、シェルの閉塞部を小さくすることができるとともにベースの補強にもなる。そして、小型のメモリカード挿入時にシェルの閉塞部とベースのリブによってカード挿入口を閉塞することで、小型のメモリカードが不意に抜けたり、所定のメモリカード用のソケットに接続された状態から小型のメモリカードのみがアダプタ本体から抜き取られたりすることを防止することができる。
【００１５】
請求項３に記載の発明は、請求項１又は２に記載の発明において、前記シェルの閉塞部と、前記カバー部の一端側の一端部に、絶縁処理を施すことを特徴とする。この構造では、メモリカード用アダプタを所定のメモリカード用ソケットに前後逆方向に挿入し、ソケット内のコンタクトがシェルに接触した場合でもシェルに絶縁処理が施されているのでソケット内のコンタクトとシェルとの間で通電することがない。これにより、小型のメモリカード、メモリカード用アダプタ及び接続機器の誤動作等を防ぐことができる。
【００１６】
請求項４に記載の発明は、請求項１又は２又は３に記載の発明において、前記シェルのカバー部に挿入確認穴を設けることを特徴とする。この構造では、挿入確認穴からカード装着部内を見ることができるので、シェルを開けることなく小型のメモリカードが挿着されているかどうかを容易に確認することができる。
【００１７】
請求項５に記載の発明は、請求項１又は３又は４に記載の発明において、前記シェルのカバー部の他端部における両側に、それぞれ前記ベースに向かって立設する断面Ｌ状の接続部を形成し、前記各接続部における前記ベースと当接する個所に穴を形成し、前記ベースにおける前記各接続部と当接する個所に突起を形成し、前記接続部の穴と前記ベースの突起を係合して、前記シェルと前記ベースを固定することを特徴とする。この構造では、穴と突起を組み合わせることでシェルとベースを強固に接合することからメモリカード用アダプタを補強することができる。
【発明の効果】
【００１８】
本発明によれば、小型のメモリカードが不意に抜けたり、所定のメモリカード用のソケットに接続された状態から小型のメモリカードのみがアダプタ本体から抜き取られたりすることを防止することができる。
【発明を実施するための最良の形態】
【００１９】
（実施形態１）
実施形態１のメモリカード用アダプタは、自己よりも小型のメモリカードを着脱自在に内部に収納して、所定のメモリカードとして使用される。例えば、図１８及び図１９に示すミニＳＤカードＭＳＤのような小型のメモリカードを図１７に示すＳＤメモリカードのような所定のメモリカード用のソケットに接続するときに使用される。
【００２０】
まず、実施形態１の基本的な構成について図１〜図３、図７〜１０を用いて説明する。
【００２１】
実施形態１のメモリカード用アダプタは、図１に示すように、小型のメモリカードのＩ／Ｏ接触面５３（図１９参照）に当接する接続端子４と、接続端子４を配置するベース２と、挿入した小型のメモリカードを覆うシェル３及び先端カバー１と、ライトプロテクト用の摘み７とにより構成される。これらを組み立てると、図２に示すようなメモリカード用アダプタになる。
【００２２】
接続端子４は、図１に示すように、複数本（ＳＤメモリカードの場合は９本）のコンタクト４ａ〜４ｉから構成される。各コンタクト４ａ〜４ｉは、導電性の良好な金属（例えばリン青銅など）のフープ材に抜き加工及び曲げ加工を施すことによって形成される。フープ材から加工されて組立て前の各コンタクト４ａ〜４ｉは、図１０に示すように、キャリア部２０ａと繋ぎ片２０ｂ、２０ｃからなるキャリア２０が接続されている。繋ぎ片２０ｂ、２０ｃが各コンタクト４ａ〜４ｉの中央片２３とキャリア部２０ａを繋ぐことによって各コンタクト４ａ〜４ｉは一体に連結された状態で形成されている。
【００２３】
各コンタクト４ａ〜４ｉは、図１に示すように、矩形状の端子片２１と、端子片２１の前端部略中央から一体に連設される幅狭の固定片２２と、一端部が固定片２２を介して端子片２１に連結された中央片２３と、中央片２３の他端部から後向きに折り曲げられた折曲片２４と、折曲片２４の先端から手前に向かって突出する接触ばね片２５とを連続一体に形成して構成される。これらのコンタクト４ａ〜４ｉのいくつかはグランドに接地される。実施形態１の一例では、コンタクト４ｄがグランドに接地される。
【００２４】
端子片２１は、所定のメモリカード用のソケット内に備えられている端子と電気的に接続する接続面である。
【００２５】
接触ばね片２５は、小型のメモリカードの電気端子であるＩ／Ｏ接触面５３（図１９参照）と電気的に接続する接続面であり、図３に示すように、側面視の形状は中間部が両端部に比べてシェル３側に向かって突出するような形状（例えばへ字状）に形成される。
【００２６】
ベース２は、合成樹脂成型品からなり、図７（ａ）に示すように、所定のメモリカードにおいて片面側の外形に対応する形状であり、ベース２の一端側にはコネクタ部２ｇ、他端側には凹所であるカード装着部１０ａが構成されている。また、ベース２は、一端側の一方の角を落とした切欠部５ｂと、切欠部５ｂを形成した側の側縁には鈎形に陥没したロック用切欠部６ｂを設ける。一方、切欠部５ｂを形成した側と反対側の側縁には、切欠部８ｂと、切欠部８ｂに連通する矩形状の摘み収納凹部７３が設けられ、更に、摘み収納凹部７３の手前から奥（図７（ａ）における上下方向）に向かって延びる凹溝７４が形成され、凹溝７４底面のカード挿抜方向（図７（ａ）における上下方向）における中間部には前方に向かって係止突起３７が突設されている。
【００２７】
カード装着部１０ａの一端側には、図７に示すように、小型のメモリカードを挿抜するカード挿入口１０ｂと、カード挿入口１０ｂの略中央に小型のメモリカードを抜き差しする際に指が入り込む凹部９が形成されている。カード装着部１０ａの両側にはそれぞれ幅細の脚部２ａ、２ｂ、底面には小型のメモリカードの挿抜方向（図７（ａ）における上下方向）に沿って中間部から他端側端部まで延びる幅細の複数本（例えば９本）の溝１６が並んで形成されている。また、カード装着部１０ａの脚部２ｂ側には中央部から支持壁２７と支持壁２７の一端に傾斜面２７ａが形成されている。
【００２８】
脚部２ａ、２ｂの高さは、図１に示すように、カード装着部１０ａとシェル３とともに、装着した小型のメモリカードを覆うことができる高さである。
【００２９】
コネクタ部２ｇには、図７（ａ）及び（ｂ）に示すように、コネクタ部２ｇの表裏を貫通する矩形状の貫通孔１７が幅方向に並んで形成され、各貫通孔１７のカード導入口１０ｂ側の端面に連通する幅狭の圧入溝１９が形成され、図７（ｂ）に示すようにコネクタ部２ｇ下面において各貫通孔１７に連通する周縁部にはコネクタ部２ｇの一端側に開放された複数の凹部３２が形成されている。
【００３０】
シェル３は、金属の薄板に抜き加工及び曲げ加工を施すことによって、外形の形状を所定のメモリカードにおける外形の一部に対応するように形成される。シェル３は、図８に示すように、ベース２のカード装着部１０ａを覆う矩形板状のカバー部３１と、カバー部３１のカード挿入口１０ｂ側の一端に閉塞部３２を構成する。
【００３１】
閉塞部３２は、図１及び図８に示すように、カバー部３１の一端からカード挿入口１０ｂを閉塞するように形成する。閉塞部３２の高さは、カード挿入口１０ｂと略同等又は挿着している小型のメモリカードが抜き出されない程度の高さである。
【００３２】
カバー部３１は、図８に示すように、閉塞部３２が形成される側と他端面の両側に、複数の接続部３３、３４、３５を形成し、図８に示すように、閉塞部３２が形成される側と他端面の側縁から下向きに突出する側部４７を形成する。カバー部３１のような金属の薄板は、力を加えた場合、力の方向に従って撓み変形し、加えた力を取り去ると金属の薄板は撓んでいた状態から元の形状に戻るという弾性変形が可能である。
【００３３】
接続部３３、３４、３５は、図１に示すように、断面Ｌ状の形状でありベース２に向かって形成される。接続部３３、３４、３５とベース２の対向する個所が接合する。カバー部３１において接続部３３、３４、３５が形成されている側は、ベース２と接合されるのでカバー部３１を撓ませるといった弾性変形をさせることができない。しかし、閉塞部３２側は、ベース２などその他の構成部品と接合されないので、カバー部３１に力を加えると撓み、加えている力を取り去ると元の状態に戻る弾性変形が可能となる。
【００３４】
側部４７は、図８に示すように、側部４７の下側縁において接続端子４のコンタクト４ｄに対応する部位からコネクタ部２ｇ方向に突出する連結片４５と、連結片４５から更にコネクタ部２ｇ方向に突出する端子片４６とを連続一体に形成する。
【００３５】
端子片４６はグランドのコンタクト４ｄの端子片２１に当接し、ソケットに装着した際にコンタクト４ｄの端子片２１を介してソケット側のグランドに接続されるので、コンタクト４ｄを介してシェル３が接地されアダプタ本体のシールド性能を向上することができる。
【００３６】
先端カバー１は、合成樹脂成型品からなり、外形の形状が所定のメモリカードにおける外形の一部に対応する。先端カバー１は、図１に示すように、略矩形状の主部１ａと主部１ａの一端部の左右両側からカード装着部１０ａ方向に向かってぞれぞれ突出する脚部１ｂ、１ｃとがコ字状の形状で形成され、更に主部１ａと脚部１ｂ、１ｃで囲まれた開口部１ｄが設けられており、ベース２のコネクタ部２ｇとその周辺を覆い、接続端子４を傷や汚れなど外的要因から保護するとともにシェル３と連設して構成される。
【００３７】
主部１ａは、図９（ａ）に示すように、脚部１ｂ側で、脚部１ｂが形成されていない一端に、ベース２の切欠部５ｂに対応する角を落として切欠部５ｂとともに逆差し防止用切欠５を構成する切欠部５ａと、脚部１ｂ側の側縁にベース２の切欠部６ｂに対応する部位に切欠部６ｂとともにロック用切欠６を構成する鈎形に陥没した切欠部６ａを設ける。また、脚部１ｃ側の外側縁には切欠部８ａと、切欠部８ａに連通する矩形状の摘み収納凹部７１と、摘み収納凹部７１の奥にカード挿抜方向（図９（ａ）における上下方向）に沿って延びる凹溝７２を形成する。
【００３８】
また、主部１ａは、ベース２との対向面に、図９（ａ）及び（ｂ）に示すように、矩形状に形成された複数（例えば９個）の端子片支持台１４が幅方向に並設され、ベース２との対向面のカード挿入口１０ｂ側にはベース２側に向かって突設するコンタクト受け台１３が設けられている。
【００３９】
コンタクト受け台１３には、図９（ａ）に示すように、シェル３の連結片４５に対応する部位に切欠溝１３ａが設けられ、切欠部１３ａは対応する端子片支持台１４の後端まで延びている。
【００４０】
ライトプロテクト用の摘み７は合成樹脂成形品からなり、図１に示すように、略直方体状の操作部７ａと、操作部７ａの一側面の上部から側方に突出する係止片７ｂと、係止片７ｂの先端から上下に突出する爪７ｃ、７ｃを備える。
【００４１】
実施形態１の特徴部分について説明する。実施形態１の閉塞部３２は、図２に示すように、カード挿入口１０ｂを閉塞するのに十分大きな形状で形成されている。また、実施形態１のカバー部３１は金属の薄板からなり、接続部３３、３４、３５が形成されている側はカバー部３１の両側でベース２と接合されるのでカバー部３１を撓ませることができないが、閉塞部３２側は力を加えると撓み、加えている力を取り去ると元の状態に戻る弾性変形が可能である。
【００４２】
次に、実施形態１のメモリカード用アダプタの組立工程について説明する。先ず図１０に示すように、接続端子４である各コンタクト４ａ〜４ｉをキャリア２０によって一体に連結された状態で、ベース２に端子片２１が貫通孔１７内に挿入するとともに、接触ばね片２５が溝１６内に配置するようにして、上方からベース２に圧入すると、各コンタクト４ａ〜４ｉの固定片２２が圧入溝１９内に圧入されるなどしてベース２に仮固定される。このとき、キャリア部２０の繋ぎ片２０ｂ、２０ｃはベース２に設けた溝３９内に挿入されており、この状態でキャリア部２０ａを起こして、各コンタクト４ａ〜４ｉの中央片２３に対して繋ぎ片２０ｂ、２０ｃを斜め上側に折り曲げると、中央片２３と繋ぎ片２０ｂとの連結部位、及び、中央片２３と繋ぎ片２０ｃとの連結部位がそれぞれ切断され（ノッチ折）、各コンタクト４ａ〜４ｉからキャリア２０が分離され、各コンタクト４ａ〜４ｉの間は電気的に絶縁される。
【００４３】
その後、シェル３の端子片４６がコンタクト４ｄ上に重なるようにシェル３をベース２に被せて、シェル３の接続部３３、３４、３５とベース２において接続部３３、３４、３５と当接する個所を接合する。
【００４４】
次に摘み７を先端カバー１及びベース２の凹溝７２、７４内に挿入した状態で摘み収納凹部７１、７３内に配置し、操作部７ａが切欠部８ａ、８ｂ内に露出するように、先端カバー１をベース２の上側から被せて、先端カバー１とベース２とを接合することで組立てが完了する。なお先端カバー１とベース２の接合には、超音波溶着、熱着、接着、かしめなどの適宜の方法を用いることができる。
【００４５】
このとき、各コンタクト４ａ〜４ｉの端子片２１は先端カバー１の端子片支持台１４に直接又は端子片４６を介して当接し、端子片２１の後端の折曲部は、端子片支持台１４又は端子片４６の後に設けた傾斜面に当接して、ベース２の貫通孔１７の周縁部と端子片支持台１４の傾斜面との間で挟持されている。
【００４６】
なお実施形態１では固定片２２を圧入溝１９内に圧入するなどしてベース２に仮固定した状態で、繋ぎ片２０ｂ、２０ｃを折り曲げて、各コンタクト４ａ〜４ｉの中央片２３と繋ぎ片２０ｂ又は繋ぎ片２０ｃとの連結部位を切断して分離した後、ベース２に先端カバー１を被着してベース２と先端カバー１との間のコンタクト４ａ〜４ｉを挟持しているが、各コンタクト４ａ〜４ｉをベース２上に載置し、冶具などで各コンタクト４ａ〜４ｉの中央片２３と繋ぎ片２０ｂ又は繋ぎ片２０ｃとの連結部位を切断して分離した後、ベース２に先端カバー１を被着してベース２と先端カバー１との間でコンタクト４ａ〜４ｉを挟持してもよい。
【００４７】
また実施形態１では、小型のメモリカードに対向する先端カバー１の部位の略全体に開口部１ｄを形成するが、小型のメモリカードと対向する部位の少なくとも一部に開口部１ｄを形成して、この開口部１ｄにシェル３を嵌め込むようにしてもよい。
【００４８】
次に、上述のようにして組立てられたメモリカード用アダプタへの小型のメモリカードの挿抜方法について図３を用いて説明する。まず、実施形態１のメモリカード用アダプタに小型のメモリカードを装着する際には、図３（ｂ）の状態からシェル３のカード挿入口１０ｂ側を持って、図３（ａ）に示すように、シェル３を弾性変形により撓ませることにより閉塞部３２で閉塞されていたカード挿入口１０ｂを開く。次に、図３（ａ）の状態で、小型のメモリカードを手前と奥及び表裏の各方向を正規な方向に向けてカード挿入口１０ｂからカード装着部１０ａに挿入する。そして小型のメモリカードをカード装着部１０ａの内部にさらに挿入すると、接続端子４の接触ばね片２５と小型のメモリカードのＩ／Ｏ接触面５３（図１９参照）が摺接し、電気的に接続される。さらに小型のメモリカードをカード装着部１０ａの内部に挿入すると、小型のメモリカードの切欠部５１が支持壁２７の傾斜面２７ａ（図７参照）に当接して、小型のメモリカードがそれ以上挿入されるのを規制する。このようにして小型のメモリカードを実施形態１のメモリカード用アダプタに挿入することができる。
【００４９】
実施形態１のメモリカード用アダプタに装着された小型のメモリカードを取り外す際には、図３（ｂ）の状態からシェル３のカード挿入口１０ｂ側を持って、図３（ｃ）に示すように、シェル３を弾性変形により撓ませることにより閉塞部３２で閉塞されていたカード挿入口１０ｂを開く。次に、図３（ｃ）の状態で、小型のメモリカードをつまんでカード挿入口１０ｂ側に引き抜くと、小型のメモリカードを実施形態１のメモリカード用アダプタから容易に取り外すことができる。
【００５０】
小型のメモリカードの情報を保護する際には摘み７を用いる。摘み７は、爪７ｃ、７ｃが凹溝７２、７４内を移動することによって前後方向に移動可能となり、爪７ｃ、７ｃの前後の側面が係止突起３７と係止することにより、切欠部８ａ、８ｂ内で前端又は後端の切替位置に保持されるようになっており、摘み７の位置によって小型のメモリカードがライトプロテクトの状態にあるか否かを切り替えることができる。
【００５１】
上述のメモリカード用アダプタにおいて、シェル３の閉塞部３２でカード挿入口１０ｂを閉塞することができる。また、シェル３は、カバー部３１の接続部３３、３４、３５側の一端面は、両側で接続部３３、３４、３５とベース２との接合により固定され容易に変形させることができないが、カバー部３１のカード挿入口１０ｂ側は他の構成要素と接合されていないので固定されず弾性変形が可能である。
【００５２】
以上、実施形態１によれば、この構造は、簡単な構造であり、シェル３のカバー部３１の弾性変形により、カード挿入口１０ｂから小型のメモリカードの抜き差しを容易に行うことができる。そして、小型のメモリカード挿入時にシェル３の閉塞部３２によってカード挿入口１１ｂを閉塞することで、小型のメモリカードが不意に抜けたり、所定のメモリカード用のソケットに接続された状態から小型のメモリカードのみがアダプタ本体から抜き取られたりすることを防止することができる。
【００５３】
（実施形態２）
実施形態２の基本的な構成について実施形態１と異なる点を図４、図５、図１１、図１２を用いて説明する。
【００５４】
ベース２は、図１１に示すように、脚部２ａ、２ｂのカード挿入口１０ｂ側とは反対側にそれぞれ内方に向かって開放された凹溝２ｄ、２ｄと、各凹溝２ｄ、２ｄの底面にシェル３を回動自在に軸支するための突起状の一対の軸部２ｅと、その根本部分で軸部２ｅを支える支持部２ｆを一体に形成する。
【００５５】
軸部２ｅは、図１１（ｄ）に示すように、ベース２の底面に対抗する面を円筒面とする半円筒形に形成され、支持部２ｆは、ベース２の底面から上方（図１１（ｂ）における下から上）に向かって脚部２ａ、２ｂに近づく向きに傾斜する角柱状に形成される。
【００５６】
また、カード装着部１０ａは、図４及び図１１（ａ）に示すように、カード挿入口１０ｂ側の一端にカード挿入口１０ｂの一部を閉塞するようにリブ１０ｃを設けている。また、カード装着部１０ａ両端の溝１６の外側には、図１１（ｃ）に示すように手前から奥（図１１（ｃ）における下から上）に向かっておよそ２〜３度の角度で後方へ傾斜する逃がし部２０、２０を設けている。
【００５７】
リブ１０ｃは、シェル３の閉塞部３２ともにカード挿入口１０ｂの一部を閉塞するように設けられているので、リブ１０ｃの高さはカード挿入口１０ｂより低くてもよい。このリブ１０ｃを設けることにより閉塞部３２の高さも低くすることができる。
【００５８】
シェル３は、図４及び図１２に示すように、カバー部３１の略中央における左右両端縁より後方へ垂下された軸受け部４２と、軸受け部４２より奥側（図１２（ｃ）における上側）に側部４７を備える。
【００５９】
軸受け部４２は、図１２に示すように、ベース２の軸部２ｅ及び支持部２ｆが挿通される空洞部４２ａを有して略Ｕ字状に形成され、空洞部４２ａの手前側の側縁を後方から前方（図１２（ｃ）における右から左）へ向かって手前に２〜３度傾斜させている。側部４７も、カード挿入口１０ｂ側からコネクタ部２ｇ側に向かって同じく２〜３度傾斜させている。
【００６０】
実施形態２の特徴部分について説明する。実施形態２の閉塞部３２とリブ１０ｃは、図５に示すように、カード挿入口１０ｂを閉塞するのに十分大きな形状で形成されている。また、実施形態２のカバー部３１は、実施形態１と同様に閉塞部３２側の弾性変形が可能であるだけでなく、ベース２の軸部２ｅを支点として回動することができる。
【００６１】
次に、実施形態２のメモリカード用アダプタの組立工程において、実施形態１と異なる点を説明する。
【００６２】
実施形態２のシェル３をベース２に接合する工程において、先ずベース２の凹溝２ｄにシェル３の軸受け部４２を位置合わせしてシェル３を前方からベース２に押しつける。そうすると軸受け部４２が支持部２ｆの傾斜面に案内されて内側に撓み、やがて軸部２ｅを乗り越えて空洞部４２ａに軸部２ｅ及び支持部２ｆが挿通されてシェル３がベース２の軸部２ｅに軸支される。上記の工程によりシェル３とベース２が接合される。
【００６３】
組立完了状態においては、シェル３は、軸受け部４２の空洞部４２ａによってベース２の軸部２ｅに軸支されており、空洞部４２ａの手前側の側縁を後方から前方へ向かって手前に２〜３度傾斜させるとともに、カバー部３１の左右両側の側壁４７を手前から奥に向かって前方へ同じく２〜３度傾斜させてあることから、カバー部３１がベース２に対して２〜３度傾いた開位置と、カバー部３１がベース２と略平行となる閉位置との間でカード挿入口１０ｂに対する小型のメモリカードの挿入方向に平行な面内において上記角度の分だけ回動自在となっている。
【００６４】
また、リブ１０ｃとシェア３の閉塞部３２の両方でカード挿入口１０ｂを閉塞すればよいので、シェル３の閉塞部３２の長さを短くすることができる。また、カード挿入口１０ｂを閉塞する場合に、完全に閉塞する必要はなく、挿入されている小型のメモリカードが抜き差しできない程度に閉塞していればよく、リブ１０ｃと閉塞部３２の間に少しの隙間が生じてもよい。
【００６５】
次に、上述のようにして組立てられたメモリカード用アダプタへの小型のメモリカードの挿抜方法について図６を用いて説明する。まず、実施形態２のメモリカード用アダプタに小型のメモリカードを装着する際には、図６（ｃ）の状態からシェル３のカード挿入口１０ｂ側を持って、図６（ａ）に示すように、シェル３を弾性変形により撓ませるとともに回動させることにより閉塞部３２で閉塞されていたカード挿入口１０ｂを開く。次に、図６（ｂ）に示すように、小型のメモリカードを手前と奥及び表裏の各方向を正規な方向に向けてカード挿入口１０ｂからカード装着部１０ａに挿入する。そして小型のメモリカードをカード装着部１０ａの内部にさらに挿入すると、接続端子４の接触ばね片２５と小型のメモリカードのＩ／Ｏ接触面５３（図１９参照）が摺接し、電気的に接続される。さらに小型のメモリカードをカード装着部１０ａの内部に挿入すると、小型のメモリカードの切欠部５１が支持壁２７の傾斜面２７ａ（図１１参照）に当接して、小型のメモリカードがそれ以上挿入されるのを規制する。この状態でシェル３を開位置から閉位置に戻せば、小型のメモリカードがカード装着部１０ａに収まるとともに、小型のメモリカードにおいてカード挿入口１０ｂ側の端部がリブ１０ｃと閉塞部３２に当たって小型のメモリカードのカード挿入口１０ｂからの引き抜きが規制される。ここで、シェル３の回動支点（軸部２ｅ）を、ベース２におけるカード挿入口１０ｂが開口する手前側の端部と接続端子４を配設した奥側の端部との間に設けているため、小型のメモリカードのＩ／Ｏ接触面５３（図１９参照）が接続端子４から受ける接圧力がシェル３を開位置から閉位置に不用意に開動するのを防いでいる。また、軸部２ｅの根本部分を支持部２ｆで支えることにより、シェル３を回動させる際に軸部２ｅが変形したり、破損したりするのを防ぐことができる。このようにして小型のメモリカードを実施形態２のメモリカード用アダプタに挿入することができる。
【００６６】
実施形態２のメモリカード用アダプタに装着された小型のメモリカードを取り外す際には、図６（ｃ）の状態からシェル３のカード挿入口１０ｂ側を持って、図６（ａ）に示すように、シェル３を弾性変形により撓ませることにより閉塞部３２で閉塞されていたカード挿入口１０ｂを開く。次に、図６（ａ）の状態で、小型のメモリカードをつまんでカード挿入口１０ｂ側に引き抜くと、小型のメモリカードを実施形態２のメモリカード用アダプタから容易に取り外すことができる。
【００６７】
上述のメモリカード用アダプタにおいて、シェル３の閉塞部３２とベース２のリブ１０ｃでカード挿入口１０ｂを閉塞することができる。また、シェル３は、ベース２の軸部２ｅを支点として回動することが可能であり、カバー部３１のカード挿入口１０ｂ側は他の構成要素と接合されていないので固定されず弾性変形が可能である。
【００６８】
以上、実施形態２によれば、シェル３がベース２の軸部２ｅを支点として回動させることにより、小型のメモリカード挿入時にシェル３の小さな弾性変形でカード挿入口１０ｂから小型のメモリカードの抜き差しを容易に行うことができる。またベース２にリブ１０ｃを付けるので、シェル３の閉塞部３２を小さくすることができるとともにベース２の補強にもなる。そして、小型のメモリカード挿入時にシェル３の閉塞部３２とベース１のリブ１０ｃによってカード挿入口１１ｂを閉塞することで、小型のメモリカードが不意に抜けたり、所定のメモリカード用のソケットに接続された状態から小型のメモリカードのみがアダプタ本体から抜き取られたりすることを防止することができる。
【００６９】
（実施形態３）
実施形態３の基本的な構成について実施形態１と異なる点を図１３を用いて説明する。
【００７０】
実施形態３では、メモリカード用アダプタが所定のメモリカード用のソケットに接続されている状態において、シェル３の少なくともアダプタがソケットから出ている領域となる閉塞部３２及びカバー部３１の閉塞部３２側の一部に絶縁処理を施した絶縁部３８を形成することを特徴とする。
【００７１】
絶縁部３８は、金属の薄板からなるシェル３上で、図１３に示すように、閉塞部３２及びカバー部３１の閉塞部３２側の一部からなる。絶縁部３８の絶縁処理の方法として絶縁コーティング、テープの貼付、同時成形による絶縁物の形成などがある。
【００７２】
シェル３に絶縁処理が施されていない場合、メモリカード用アダプタを所定のメモリカード用ソケットに誤って前後逆方向に挿入したときにソケット内のコンタクトがシェル３に接触してシェル３とソケット内のコンタクトが通電する恐れがある。
【００７３】
しかし、実施形態３によれば、メモリカード用アダプタを所定のメモリカード用ソケットに前後逆方向に挿入し、ソケット内のコンタクトがシェル３に接触した場合でもシェル３に絶縁処理が施されているのでソケット内のコンタクトとシェル３との間で通電することがない。これにより、小型のメモリカード、メモリカード用アダプタ及び接続機器の誤動作等を防ぐことができる。
【００７４】
（実施形態４）
実施形態４の基本的な構成について実施形態１と異なる点を図１４を用いて説明する。
【００７５】
実施形態４では、シェル３のカバー部３１の一部に、挿入確認穴３６を備えることを特徴とする。
【００７６】
挿入確認穴３６は、図１４に示すように、カバー部３１において装着している小型のメモリカードに対応する個所に設けられる。挿入確認穴３６の位置と大きさは、アダプタ内の小型のメモリカードを確認することができる場所であればカバー部３１の強度が使用に耐える範囲で設定することができる。
【００７７】
実施形態４によれば、挿入確認穴３６からカード装着部１０ａ内を見ることができるので、シェル３を開けることなく小型のメモリカードが挿着されているかどうかを容易に確認することができる。
【００７８】
（実施形態５）
実施形態５の基本的な構成について実施形態１と異なる点を図１５及び図１６を用いて説明する。
【００７９】
実施形態５では、シェル３のカバー部３１の接続部３３、３４、３５に穴３３ａを設けるとともに、ベース２の各接続部３３、３４、３５と当接する個所に、穴３３ａと対応するように突起３３ｂを形成することを特徴とする。
【００８０】
穴３３ａは、図１６に示すように、接続部３３、３４、３５のベース２と接合する面に、突起３３ｂが入るように設けられる。接続部３３、３４、３５の強度が使用に耐える範囲であれば複数個の穴３３ａを設けることができる。また、突起３３ｂは、図１５に示すように、ベース２に穴３３ａと対向し、高さが接続部３３、３４、３５の厚み寸法よりも高くなるように設けられる。
【００８１】
次に、実施形態５のメモリカード用アダプタの組立て工程において、実施形態１と異なる点を説明する。
【００８２】
実施形態５のシェル３をベース２に接合する工程において、シェル３をそれぞれ対応する穴３３ａと突起３３ｂを組み合わせるようにベース２に被せる。シェル３をベース２に被せた後、それぞれの穴３３ａから出た突起３３ｂの部分を溶着などの方法を用いて接合する。上記の工程によりシェル３とベース２が接合される。
【００８３】
実施形態５によれば、穴３３ａと突起３３ｂを組み合わせることでシェル３とベース２を強固に接合することからメモリカード用アダプタを補強することができる。
【図面の簡単な説明】
【００８４】
【図１】本発明による実施形態１のメモリカード用アダプタの分解斜視図である。
【図２】同上の外観斜視図である。
【図３】同上の断面図である。
【図４】本発明による実施形態２のメモリカード用アダプタの分解斜視図である。
【図５】同上の外観斜視図である。
【図６】同上の断面図である。
【図７】本発明による実施形態１のメモリカード用アダプタのベースを示し、（ａ）は正面図、（ｂ）は同図（ａ）のＮ−Ｎ断面矢視図である。
【図８】同上のシェルを示し、（ａ）は正面図、（ｂ）は右側面図、（ｃ）は下側面図である。
【図９】同上の先端カバーを示し、（ａ）は背面図、（ｂ）は上側面図である。
【図１０】同上の組立工程を説明する図である。
【図１１】本発明による実施形態２のメモリカード用アダプタのベースに接続端子を組み込んだ状態を示し、（ａ）は正面図、（ｂ）は同図（ａ）のＡ−Ａ線断面矢視図、（ｃ）は同図（ａ）のＣ−Ｃ線断面矢視図、（ｄ）は同図（ｂ）の要部断面図である。
【図１２】同上のシェルを示し、（ａ）は正面図、（ｂ）は下側面図、（ｃ）は右側面図である。
【図１３】本発明による実施形態３のメモリカード用アダプタのシェルを示し、（ａ）は上面図、（ｂ）は右側面図、（ｃ）は下側面図である。
【図１４】本発明による実施形態４のメモリカード用アダプタのシェルを示し、（ａ）は上面図、（ｂ）は右側面図、（ｃ）は下側面図である。
【図１５】本発明による実施形態５のメモリカード用アダプタのベースを示し、（ａ）は正面図、（ｂ）は同図（ａ）のＮ−Ｎ断面矢視図である。
【図１６】同上のシェルを示し、（ａ）は上面図、（ｂ）は右側面図、（ｃ）は下側面図である。
【図１７】ＳＤメモリカードの外観斜視図である。
【図１８】本発明の実施形態１のメモリカード用アダプタに装着される小型のメモリカードを示し、（ａ）は正面図、（ｂ）は右側面図、（ｃ）は下側面図である。
【図１９】同上の小型のメモリカードを示し、（ａ）は背面図、（ｂ）は上側面図である。
【符号の説明】
【００８５】
１  先端カバー
２  ベース
２ｅ  軸部
２ｇ  コネクタ部
３  シェル
３１  カバー部
３２  閉塞部
３３、３４、３５  接続部
３３ａ  穴
３３ｂ  突起
３６  挿入確認穴
３８  絶縁部
４  接続端子
４２  軸受け部
４２ａ  空洞部
７  摘み
１０ａ  カード装着部
１０ｂ  カード挿入口
１０ｃ  リブ
【図１】
2005050280.tif 000003
【図２】
2005050280.tif 000004
【図３】
2005050280.tif 000005
【図４】
2005050280.tif 000006
【図５】
2005050280.tif 000007
【図６】
2005050280.tif 000008
【図７】
2005050280.tif 000009
【図８】
2005050280.tif 000010
【図９】
2005050280.tif 000011
【図１０】
2005050280.tif 000012
【図１１】
2005050280.tif 000013
【図１２】
2005050280.tif 000014
【図１３】
2005050280.tif 000015
【図１４】
2005050280.tif 000016
【図１５】
2005050280.tif 000017
【図１６】
2005050280.tif 000018
【図１７】
2005050280.tif 000019
【図１８】
2005050280.tif 000020
【図１９】
2005050280.tif 000021